(57)【要約】【課題】ユーザーが必要な機能のみを選択して表示することができるとともに、回転速度等の表示位置をユーザーが見易い位置に配置でき、重要度の高い情報を表示部から離れた場所からでも容易に確認することができる使い勝手の良い遠心機を提供すること。【解決手段】試料を入れたロータを回転させるための駆動部と、回転速度、運転時間、温度等の運転条件を入力するための操作部と、該操作部から入力した運転条件や運転状態、各種機能等を表示する表示部を有する遠心機において、前記表示部に表示される運転条件や運転状態（回転速度表示部１００、運転時間表示部１１０、温度表示部１２０等）、各種機能（「ＰＲＯＧ」機能１５１、「ＲＯＴＯＲ」機能１５２等の機能表示部１５０）からユーザーが必要なものだけを選択し、それらの表示位置と表示サイズを任意に設定することができるカスタマイズ機能を設ける。【選択図】図４
2007136314.tif 000002
【特許請求の範囲】
【請求項１】
試料を入れたロータを回転させるための駆動部と、回転速度、運転時間、温度等の運転条件を入力するための操作部と、該操作部から入力した運転条件や運転状態、各種機能等を表示する表示部を有する遠心機において、
前記表示部に表示される運転条件や運転状態、各種機能を任意に設定することができるカスタマイズ機能を設けたことを特徴とする遠心機。
【請求項２】
前記表示部に表示される運転条件や運転状態、各種機能の表示位置と表示サイズを任意に設定することができる機能を有することを特徴とする請求項１記載の遠心機。
【請求項３】
運転条件や運転状態を表示する運転表示部と各種機能を表示する機能表示部を部品化し、これら部品化された運転表示部及び機能表示部の中から任意のものを選択することができる画面を前記表示部に表示する機能を有することを特徴とする請求項１又は２記載の遠心機。
【請求項４】
運転条件や運転状態を表示する運転表示部としてサイズの異なる複数のものを部品化して画面に表示し、その中から任意のものを選択することができる機能を有することを特徴とする請求項１〜３の何れかに記載の遠心機。
【発明の詳細な説明】
【技術分野】
【０００１】
本発明は、試料が挿入されたロータを高速回転させることによって試料を遠心分離するための遠心機に関するものである。
【背景技術】
【０００２】
この種の遠心機の運転に際しては、分離する試料の種類に合せてユーザーが回転速度、運転時間（分離時間）、温度（保持温度）、加速勾配、減速勾配等の運転条件を設定する。このため、遠心機には、設定した運転条件や実際の運転状態を表示するための表示部が設けられており、この表示部における表示としては、従来、アナログメータによる表示、７セグメントＬＥＤを並設することによる表示等の方法が採用されていた。
【０００３】
しかし、遠心機の使い勝手向上のために表示部に多種の機能を付加し、より多くの情報を表示することができるＣＲＴ等が表示部として使用され、中でも、省スペースで省電力が可能なＬＣＤ（液晶ディスプレイ）の表示装置を用いて多機能表示するケースが増えてきている。
【０００４】
ここで、多機能とは、例えば運転条件を記憶させるプログラム機能や運転中の遠心加速度の算出機能、或は、遠心分離する試料を収納するロータの種類を表示するロータカタログ表示機能等であり、遠心機を使用する上で必要と考えられる機能を遠心機メーカが備え付けている。
【０００５】
そして、従来はＬＣＤ等の表示装置に遠心機の運転に最小限必要な回転速度、運転時間及び温度と多種機能に関する情報の全てを一画面に表示している。
【０００６】
ところで、遠心機の中には、回転体が設定回転速度に達した整定中の運転状況を遠くからでも確認し易いように、限定した情報を拡大表示するようにしたものが提案されている（特許文献１）。
【特許文献１】特開２０００−３０１０２９号公報
【発明の開示】
【発明が解決しようとする課題】
【０００７】
しかしながら、ＬＣＤを用いた従来の表示では、多機能であるために多種の情報を表示することができるが、表示エリアに制限があるため、多種の情報を表示するために表示位置を考慮して各機能を配置しており、このために１つ１つの機能の表示エリアが小さくなって見づらいという問題がある。
【０００８】
遠心機のユーザーによっては必要のない機能まで表示されており、又、例えば遠心機の運転で温度が重要な場合、遠心機から離れても見えるように温度をＬＣＤの中央に大きな文字で表示したりすることができない。このような場合、ユーザーにとっては、不要な機能を除いて必要な温度が大きな文字で表示されれば好都合である。
【０００９】
又、遠心機を運転する上で最小限必要である回転速度、運転時間及び温度の表示位置が遠心機によって異なる場合があり、異なる機種の遠心機が並設されているような場合には、ユーザーにとっては各遠心機の運転状態の確認が紛らわしいという問題がある。
【００１０】
他方、特許文献１に記載されているように、限定した情報を拡大表示する方法であっても、ユーザーが必要な機能のみを選択して表示することができず、又、表示位置を自由に設定することができないため、ユーザーには不便で、使い勝手が悪い場合があった。
【００１１】
本発明は上記問題に鑑みてなされたもので、その目的とする処は、ユーザーが必要な機能のみを選択して表示することができるとともに、回転速度等の表示位置をユーザーが見易い位置に配置でき、重要度の高い情報を表示部から離れた場所からでも容易に確認することができる使い勝手の良い遠心機を提供することにある。
【課題を解決するための手段】
【００１２】
上記目的を達成するため、請求項１記載の発明は、試料を入れたロータを回転させるための駆動部と、回転速度、運転時間、温度等の運転条件を入力するための操作部と、該操作部から入力した運転条件や運転状態、各種機能等を表示する表示部を有する遠心分離機において、前記表示部に表示される運転条件や運転状態、各種機能を任意に設定することができるカスタマイズ機能を設けたことを特徴とする。
【００１３】
請求項２記載の発明は、請求項１記載の発明において、前記表示部に表示される運転条件や運転状態、各種機能の表示位置と表示サイズを任意に設定することができる機能を有することを特徴とする。
【００１４】
請求項３記載の発明は、請求項１又は２記載の発明において、運転条件や運転状態を表示する運転表示部と各種機能を表示する機能表示部を部品化し、これら部品化された運転表示部及び機能表示部の中から任意のものを選択することができる画面を前記表示部に表示する機能を有することを特徴とする。
【００１５】
請求項４記載の発明は、請求項１〜３の何れかに記載の発明において、運転条件や運転状態を表示する運転表示部としてサイズの異なる複数のものを部品化して画面に表示し、その中から任意のものを選択することができる機能を有することを特徴とする。
【発明の効果】
【００１６】
請求項１記載の発明によれば、カスタマイズ機能によって、表示部に表示される運転条件や運転状態、各種機能を任意に設定することができ、請求項２記載の発明によれば、表示部に表示される運転条件や運転状態、各種機能からユーザーが必要なものだけを選択し、それらの表示位置と表示サイズを任意に設定することができるため、回転速度等の表示位置をユーザーが見易い位置に配置することができるとともに、重要度の高い情報を表示部から離れた場所からでも容易に確認することができ、当該遠心機の使い勝手を格段に向上させることができる。
【００１７】
請求項３記載の発明によれば、部品化された運転表示部及び機能表示部の中から任意のものを選択することができるため、ユーザーが必要なものだけを容易に選択して表示部に表示することができる。
【００１８】
請求項４記載の発明によれば、運転条件や運転状態を表示する運転表示部としてサイズの異なる複数のものを部品化して画面に表示し、その中から任意のものを選択することができるようにしたため、例えば重要度の高い情報の拡大表示が簡単にでき、ユーザーはその情報を表示表示部から離れた場所からでも容易に確認することができるようになる。
【発明を実施するための最良の形態】
【００１９】
以下に本発明の実施の形態を添付図面に基づいて説明する。
【００２０】
図１は本発明に係る遠心機の基本構成を示すブロック図、図２は同遠心機の操作部の詳細図である。
【００２１】
図１に示す遠心機は、遠心分離するための試料を収容するロータ３を備えており、このロータ３は駆動部４によって不図示のロータ室内で回転駆動され、これによってロータ３内に収容された試料が遠心分離される。
【００２２】
上記駆動部４は制御部５によって制御されるが、制御部５には、ロータ３の回転速度や運転時間等の多種の機能を画面に表示する表示部１と、運転条件の入力や多種の機能を選択するための操作部２及び当該遠心機を運転する際に必要な運転条件等のデータを記憶するための記憶部６が接続されている。
【００２３】
ここで、前記操作部２には、図２に示すように、遠心機の運転を開始する際に使用されるＳＴＡＲＴキー７、遠心機の運転を停止する際に使用されるＳＴＯＰキー８、不図示のロータ室内を真空にする際に使用されるＶＡＣＵＵＭキー９、表示部１に表示される画面を元の画面に戻す際等に使用されるＥＳＣキー１０、表示部１に表示される画面を切り替える際に使用されるＭＥＮＵキー１１、表示部１に表示される画面において入力する項目にカーソルを移動させる際に使用されるカーソルキー１２、回転速度等の数値を入力する際に使用されるテンキー１３等が配置されている。
【００２４】
次に、本発明の要旨を図３〜図６に基づいて説明する。
【００２５】
図３及び図４は表示部１に表示される基本画面を示す図であって、図３は多種の機能をカスタマイズする前の画面、図４はカスタマイズした後の画面である。又、図５は遠心機の機能を部品化した部品データ一覧が表示された画面を示す図、図６は遠心機のユーザーが画面をカスタマイズするための設定画面を示す図である。
【００２６】
通常、遠心機の電源を入れると、表示部１には図３に示す基本画面が表示されるが、この基本画面には、回転速度表示部（ＳＰＥＥＤ）１００、運転時間表示部（ＴＩＭＥ）１１０、温度表示部（ＴＥＭＰ）１２０、加速勾配表示部（ＡＣＣＥＬ）１３０、減速勾配表示部（ＤＥＣＥＬ）１４０、機能表示部（ＦＵＮＣＴＩＯＮ）１５０が配置されている。尚、機能表示部１５０には、「ＰＲＯＧ」機能１５１、「ＲＯＴＯＲ」機能１５２、「ＲＣＦ」機能１５３、「ＩＤ  ＣＯＤＥ」機能１５４、「ＲＴＣ」機能１５５及び「ＤＥＦ」機能１５６が含まれている。
【００２７】
従って、ユーザーは、図３示す基本画面によってロータ３の回転速度、運転時間、温度、加速勾配及び減速勾配の運転情報を得ることができるとともに、「ＰＲＯＧ」機能、「ＲＯＴＯＲ」機能、「ＲＣＦ」機能、「ＩＤ  ＣＯＤＥ」機能、「ＲＴＣ」機能及び「ＤＥＦ」機能を選択し、それらに対応する画面を表示部１に表示することができる。
【００２８】
ここで、「ＰＲＯＧ」機能とは、複数（本実施の形態では２０種）の運転条件パターンを記憶する機能（同じ運転条件で再々運転を行う際に便利な機能）、「ＲＯＴＯＲ」機能とは、使用し得る各種仕様のロータの一覧を表示する機能、「ＲＣＦ」機能とは、遠心加速度を算出する機能である。又、「ＩＤ  ＣＯＤＥ」機能とは、ユーザー名や運転履歴を登録する機能、「ＲＴＣ」機能とは、遠心機の運転開始や停止時刻を設定する機能、「ＤＥＦ」機能とは、ロータ室内の霜取りを行う機能である。
【００２９】
而して、本実施の形態に係る遠心機においては、図３に示す基本画面からユーザーにとって必要な表示部及び機能だけを選択して図４に示すように配列し直す（カスタマイズ）することができる。その方法を以下に説明する。
【００３０】
先ず、図３に示す基本画面上に表示される各機能を部品化して図５に示すの部品データ一覧画面に番号を付して登録する。  
即ち、回転速度表示部１００を回転表示部品１００ａ（部品番号（１））、運転時間表示部１１０を運転時間表示部品１１０ａ（部品番号（２））、温度表示部１２０を温度表示部品１２０ａ（部品番号（３））、加速勾配表示部１３０を加速勾配表示部品１３０ａ（部品番号（４））、減速勾配表示部１４０を減速勾配表示部品１４０ａ（部品番号（５））として部品化して部品データ一覧に登録する。
【００３１】
又、「ＰＲＯＧ」機能１５１を「ＰＲＯＧ」機能部品１５１ａ（部品番号（９））、「ＲＯＴＯＲ」機能１５２を「ＲＯＴＯＲ」機能部品１５２ａ（部品番号（１０））、「ＲＣＦ」機能１５３を「ＲＣＦ」機能部品１５３ａ（部品番号（１１））、「ＩＤ  ＣＯＤＥ」機能１５４を「ＩＤ  ＣＯＤＥ」機能部品１５４ａ（部品番号（１２））、「ＲＴＣ」機能１５５を「ＲＴＣ」機能部品１５５ａ（部品番号（１３））、「ＤＥＦ」機能１５６を「ＤＥＦ」機能部品１５６（部品番号（１４））としてそれぞれ部品化して部品データ一覧に登録する。
【００３２】
又、ユーザーが遠心機から離れていても確認できるよう、本実施の形態では、大文字の部品として回転速度表示部１００を回転速度表示部品１０１ａ（部品番号（６））、運転時間表示部１１０を運転時間表示部品１１１ａ（部品番号（７））、温度表示部１２０を温度表示部品１２１ａ（部品番号（８））としてそれぞれ部品化して部品データ一覧に登録する。
【００３３】
そして、部品化したデータは、図１に示す記憶部６に登録しておき、画面をカスタマイズする際に読み出せるようにしておく。ここで、図３に示す基本画面から図５に示す部品データ一覧画面に切り替える際には、図２に示す操作部２に設けられたＭＥＮＵキー１１が用いられる。
【００３４】
尚、図３に示す基本画面上の回転速度表示部１００、運転時間表示部１１０及び温度表示部１２０においては、下段に設定値が、下段に状態値が並べて表示されている。
【００３５】
次に、実際のカスタマイズ方法について説明する。
【００３６】
先ず、図６に示すような表形式のカスタマイズ画面を用意する。このカスタマイズ画面は、図５に示す部品データ一覧画面の部品番号（１）〜（１４）に対応させたものであって、各部品番号（１）〜（１４）に対応する表示ｘ座標と表示ｙ座標及びサイズ（横×縦）がそれぞれ表形式で表示されている（単位はドット）。
【００３７】
而して、ユーザーは、操作部２のＭＥＮＵキー１１を操作して表示部１に図６に示すカスタマイズ画面を表示し、遠心機の運転に必要な機能を図５の部品データ一覧画面から選択し、選択した部品番号に該当する図６のカスタマイズ画面の部品番号欄２００の右側の表示ｘ座標欄２０１と表示ｙ座標欄２０２にそれぞれＬＣＤの表示位置を数値（ドット）で入力する。このようにＬＣＤ表示位置のｘ座標とｙ座標を入力することによって図５に示す部品データ一覧画面に表示された部品を選択したことになる。尚、図５に示す部品データ一覧は、遠心機の取扱説明書に記載するか、又はＬＣＤに部品データ一覧画面として表示しても良い。
【００３８】
図４は、図６に示すカスタマイズ画面で必要な機能に対してｘｙ座標を設定してカスタマイズした基本画面を示す図であり、ＬＣＤ表示が３２０ドット（ｘ座標）×２４０ドット（ｙ座標）の大きさの画面例を示す。
【００３９】
図４に示す例では、ユーザーが遠心機から離れていても温度を確認できるように温度表示部１２０を大文字の部品番号（８）（１２１ａ）で中央に配置したものであって、この温度表示部１２０のｘ座標１２７ドット目とｙ座標２７ドット目にその起点（温度表示部１２０の左上隅の点）を設定している。
【００４０】
同様に回転速度表示部１００を部品番号（１）（１００ａ）（ｘ座標６ドット目、ｙ座標２７ドット目）に設定してが３に示すカスタマイズ前と同じ位置に表示し、運転時間表示部１１０を部品番号（２）（１１０ａ）（ｘ座標２２６ドット目、ｙ座標２７ドット目）に設定して温度表示部１２０との位置を図３に示すカスタマイズ前とは逆にして画面の右上隅に配置している。又、加速勾配表示部（ＡＣＣＥＬ）１３０を部品番号（４）（１３０ａ）（ｘ座標２２３ドット目、ｙ座標１２０ドット目）、減速勾配表示部（ＤＥＣＥＬ）１４０を部品番号（５）（ｘ座標２７７ドット目、ｙ座標１２０ドット目）にそれぞれ設定して運転時間表示部１１０の下方において左右に表示している。
【００４１】
そして、機能表示部１５０のうち、頻繁に使用する「ＰＲＯＧ」機能１５１と「ＲＯＴＯＲ」機能１５２を部品番号（９）（１５１ａ）と部品番号（１０）（１５２ａ）を選択し、これらの表示位置をそれぞれ（ｘ座標２２ドット目、ｙ座標１２６ドット目）、（ｘ座標２２ドット目、ｙ座標１５０ドット目）に設定することによって、これらを回転速度表示部１００の下方において上下２段に並べて表示している。
【００４２】
尚、図３に示す基本画面と図４に示すカスタマイズ画面の切り替えは、操作部２に設けられたＭＥＮＵキー１１によって容易に行うことができる。
【００４３】
以上のように、本実施の形態においては、カスタマイズ機能によって、表示部１に表示された回転速度や運転時間、温度等の運転条件や運転状態、「ＰＲＯＧ」機能や「ＲＯＴＯＲ」機能等の各種機能からユーザーが必要なものだけを選択し、それらの表示位置と表示サイズを任意に設定することができるため、回転速度等の表示位置をユーザーが見易い位置に配置することができるとともに、ユーザーは例えば温度等の重要度の高い情報を表示部１から離れた場所からでも容易に確認することができ、当該遠心機の使い勝手が格段に向上する。
【００４４】
又、本実施の形態では、運転条件や運転状態を表示する回転速度表示部１００、運転時間表示部１１０、温度表示部１２０等の運転表示部と、「ＰＲＯＧ」機能１５１や「ＲＯＴＯＲ」機能１５２等の機能表示部１５０を部品化し、これらを画面に表示してその中から任意のものを選択することができるようにしたため、ユーザーが必要なものだけを容易に選択して表示部１に表示することができる。
【００４５】
更に、本実施の形態では、回転速度表示部１００、運転時間表示部１１０及び温度表示部１２０をサイズの異なる２つの部品、つまり、回転速度表示部１００を回転速度表示部品１００ａと１０１ａ（部品番号（１）と（４））、運転時間表示部１１０を運転時間表示部品１１０ａと１１１ａ（部品番号（２）と（７））、温度表示部１２０を温度表示部品１２０ａと１２１ａ（部品番号（３）と（８））に部品化してこれらを図５に示す部品データ一覧画面に表示し、その中から任意のものを選択することができるようにしたため、図４に示すように、例えば重要度の高い温度の拡大表示が簡単にでき、ユーザーはその情報を表示部１から離れた場所からでも容易に確認することができるようになる。
【００４６】
尚、別形態として、表示部１に表示される数種類のパターンをメーカー側で予め登録しておき、その数種類の表示パターンの中からユーザーが所望のものを選択することができるようにしても良い。又、本実施の形態では、異なるサイズの文字を部品化したが、文字サイズを直接設定することができるようにしても良い。
【図面の簡単な説明】
【００４７】
【図１】本発明に係る遠心機の基本構成を示すブロック図である。
【図２】本発明に係る遠心機の操作部の詳細図である。
【図３】本発明に係る遠心機の基本画面（カスタマイズ前の画面）を示す図である。
【図４】本発明に係る遠心機の基本画面（カスタマイズ後の画面）を示す図である。
【図５】本発明に係る遠心機の機能を部品化した部品データ一覧が表示された画面を示す図である。
【図６】本発明に係る遠心機のユーザーが画面をカスタマイズするための設定画面を示す図である。
【符号の説明】
【００４８】
１        表示部
２        操作部
３        ロータ
４        駆動部
５        制御部
６        記憶部
７        ＳＴＡＲＴキー
８        ＳＴＯＰキー
９        ＶＡＣＵＵＭキー
１０      ＥＳＣキー
１１      ＭＥＮＵキー
１２      カーソルキー
１３      テンキー
１００    回転速度表示部
１００ａ  回転速度表示部品
１０１ａ  回転速度表示部品（大文字）
１１０    運転時間表示部
１１０ａ  運転時間表示部品
１１１ａ  運転時間表示部品（大文字）
１２０    温度表示部
１２０ａ  温度表示部品
１２１ａ  温度表示部品（大文字）
１３０    加速勾配表示部
１３０ａ  加速勾配表示部品
１４０    減速勾配表示部
１４０ａ  減速勾配表示部品
１５０    機能表示部
１５１    「ＰＲＯＧ」機能
１５１ａ  「ＰＲＯＧ」機能部品
１５２    「ＲＯＴＯＲ」機能
１５２ａ  「ＲＯＴＯＲ」機能部品
１５３    「ＲＣＦ」機能
１５３ａ  「ＲＣＦ」機能部品
１５４    「ＩＤ  ＣＯＤＥ」機能
１５４ａ  「ＩＤ  ＣＯＤＥ」機能部品
１５５    「ＲＴＣ」機能
１５５ａ  「ＲＴＣ」機能部品
１５６    「ＤＥＦ」機能
１５６ａ  「ＤＥＦ」機能部品
２００    カスタマイズ画面部品番号
２０１    ＬＣＤ表示位置ｘ座標
２０２    ＬＣＤ表示位置ｙ座標
【図１】
2007136314.tif 000003
【図２】
2007136314.tif 000004
【図３】
2007136314.tif 000005
【図４】
2007136314.tif 000006
【図５】
2007136314.tif 000007
【図６】
2007136314.tif 000008